(57)【要約】【課題】  カーオーディオ機器のディスク挿入口をシャッター部材で開閉可能にし、ディスク挿入口への異物の挿入や塵埃等の侵入を防止し、かつシャッター部材で液晶表示部を隠蔽し夜間の運転中において液晶表示部を消灯するようにした再生装置を得る。【解決手段】  フロントパネル１にディスク挿入口２と、このディスク挿入口２の下部に液晶表示部３を備えた再生装置であって、フロントパネル１の前面部にディスク挿入口２を開閉するシャッター板６を備え、ディスク挿入口２を開放したとき、シャッター板６で液晶表示部３を隠蔽し、液晶表示部３の照明を消灯するようにした。【選択図】  図１
2005166101.tif 000002
【特許請求の範囲】
【請求項１】
フロントパネル部に情報再生媒体の挿入口と、この挿入口の上部あるいは下部に表示部を備えた再生装置であって、
上記フロントパネル部の前面部に、上記情報再生媒体の挿入口を開閉するシャッター部材を備えたことを特徴とする再生装置。
【請求項２】
請求項１記載の再生装置において、
上記情報再生媒体の挿入口を開放したとき、上記シャッター部材で上記表示部が隠蔽されることを特徴とする再生装置。
【請求項３】
請求項２記載の再生装置において、
上記シャッター部材が上記表示部を隠蔽した動作に連動して該表示部を消灯するようにしたことを特徴とする再生装置。
【請求項４】
請求項１記載の再生装置において、
上記情報再生媒体がディスクであることを特徴とする再生装置。
【請求項５】
請求項１〜４のいずれかに記載の再生装置において、
再生装置が車載用であることを特徴とする再生装置。
【発明の詳細な説明】
【技術分野】
【０００１】
本発明は、例えば自動車に搭載される車載用のカーオーディオ機器等の再生装置に関し、特にオーディオ機器等にあって情報再生媒体である例えば、ＣＤやＤＶＤ等の（光）ディスクを再生するための再生装置において、ディスクの再生時あるいは再生時以外にディスク挿入口をシャッターで閉止することにより、ディスク挿入口からの異物の挿入あるいは塵埃等の侵入を防止するようにした再生装置を得ることにある。
【背景技術】
【０００２】
従来、上述したような車載用のカーオーディオ機器等の再生装置としては、種々のタイプのものが提案されている。例えば、ＣＤやＤＶＤ等のディスク再生装置の一例としてカーオーディオのパネル面が通常、液晶表示パネルで覆われており、ディスクの装填や取り出し時、エジェクトボタンを操作することで、液晶表示パネルが回動する動作に連動してディスク再生装置からディスクトレーが引き出される方式のものがある。
【０００３】
また、別のディスク再生装置として、ディスク挿入口と、このディスク挿入口に隣接する下方に液晶表示部とが一体に据え付け式にされたカーオーディオ機器もある。
【特許文献１】特開平０７−５００６１号公報
【特許文献２】特開２００１−３５２５０２号公報
【発明の開示】
【発明が解決しようとする課題】
【０００４】
ところで、ディスク挿入口と液晶表示部とが一体に据え付け式にされたカーオーディオ機器では、ディスク挿入口の部分が常に開口された状態で露出しているので、ディスク挿入口から異物が挿入され易いことや塵埃等も侵入し易く、再生機構部にとっても好ましくないといった問題がある。また、ディスク挿入口が常に開口された状態は、カーオーディオ機器の体裁上も好ましものではなかった。
【０００５】
また、液晶表示部は例えば、オーディオ用ディスクの場合では、再生状態にある曲目やトラックナンバー、当該曲目の経過時間あるいはイコライザーカーブ等が液晶表示されるものであるが、この液晶表示の照明が夜間運転のドライバーにとって眩しく見え、運転に支障をきたすといった問題もある。
【課題を解決するための手段】
【０００６】
上記の課題を解決し、本発明の目的を達成するため、本発明による請求項１記載の再生装置は、フロントパネル部に情報再生媒体の挿入口と、この挿入口の上部あるいは下部に表示部を備えた再生装置であって、フロントパネル部の前面部に、情報再生媒体の挿入口を開閉するシャッター部材を備えたことを特徴とする。
【０００７】
また、本発明による請求項２記載の再生装置は、情報再生媒体の挿入口を開放したとき、シャッター部材で表示部が隠蔽されることを特徴とする。
【発明の効果】
【０００８】
本発明の請求項１の再生装置によれば、ディスクの再生時あるいは再生時以外にディスク挿入口をシャッター部材で閉止することができるので、ディスク挿入口からの異物の挿入あるいは塵埃等の侵入を防止することができ、再生機構部にとっても好ましい状態となる。また、ディスク挿入口が隠蔽されることで体裁上も好適である。
【０００９】
また、本発明の請求項２の再生装置によれば、表示部がシャッター部材で隠蔽できることで、表示部の照明から眩しさから解消され夜間運転のドライバーにとって煩わしさもない。また、シャッター部材で隠蔽された表示部は自動的に消灯することもできる。
【発明を実施するための最良の形態】
【００１０】
以下、本発明による再生装置の最良の形態を、情報再生媒体がＣＤやＤＶＤ等のディスクであるカーオーディオ機器の再生装置を例にとって図面を参照して説明する。
【００１１】
図１はカーオーディオ機器のディスク挿入口を露出させ、液晶表示部をシャッター板で隠蔽した状態をフロントパネルの正面側から見た外観斜視図、図２はディスク挿入口をシャッター板で閉止し、液晶表示部を露出した状態をフロントパネルの正面側から見た外観斜視図、図３はシャッター移動機構をフロントパネルの裏面側から見た外観斜視図、図４は同じくシャッター移動機構をフロントパネルの裏面側から見た正面図、図５はディスク挿入口を露出させた状態のシャッター移動機構の側面図、図６はディスク挿入口をシャッター板で閉止した状態のシャッター移動機構の側面図である。
【００１２】
カーオーディオ機器のフロントパネルを符号１で示す。フロントパネル１はその表面形状が図５の側面図で示すように凸面円弧状に形成されている。このフロントパネル１の上部にディスク挿入口２が配置され、ディスク挿入口２の下部でフロントパネル１のほぼ中央部分に液晶表示部３が配置されている。また、液晶表示部３の下部でフロントパネル１の下端部分に横一列に複数の操作スイッチ群４が設けられている。尚、フロントパネル１の左右側方の前面部分１ａにも操作スイッチ５が設けられている。
【００１３】
さて、フロントパネル１の前面には、上述したディスク挿入口２と液晶表示部３との間をフロントパネル１の凸面円弧面に沿って移動し開閉操作するためのシャッター板６が取り付けられている。このシャッター板６もフロントパネル１の凸面円弧面に沿うような円弧面形状にされ、シャッター板６が図１に示すようにディスク挿入口２を露出状態にしたとき液晶表示部３が隠蔽されて見えないようにし、図２に示すようにディスク挿入口２が隠蔽されたとき液晶表示部３が露出し見えるようにされる。
【００１４】
ここで、シャッター板６の移動機構の詳細について説明する。
シャッター板６の左右両側端部の裏面にはラック７，７が一体に形成され、両ラック７，７にそれぞれピニオン８，８が噛み合い、両ピニオン８，８はフロントパネル１の裏面に設けた軸受け９，９に支持され、フロントパネル１を横断する軸１０により連動可能にされている。
【００１５】
両ラック７，７の裏面には複数（実施の形態では３つずつ）のガイドピン１１，１１が設けられ、それぞれのガイドピン１１，１１がフロントパネル１の側面に形成した円弧状のガイド溝１２，１２に係合されている。これにより、シャッター板６はガイドピン１１，１１がガイド溝１２，１２に沿って移動すると同時に、ラック７，７の移動によりピニオン８，８が同期して転動することによって、シャッター板６の移動が左右部分でずれることなく並行移動させることができる。
【００１６】
また、シャッター板６の移動はトグルばね１３のばね作用によりスナップ動作が可能にされている。すなわち、トグルばね１３はその一端部１３ａがシャッター板６側に設けた止めピン１４に係止され、他端部１３ｂがフロントパネル１の側面に形成した止め孔１５に係止されている。
【００１７】
上述したトグルばね１３のばね作用を以下に説明する。
図５はシャッター板６が液晶表示部３を隠蔽した状態、つまり、ディスク挿入口２が露出した状態である。この状態ではトグルばね１３のばね作用は、シャッター板６が液晶表示部３を隠蔽する方向に付勢されている。ここで、シャッター板６をディスク挿入口２を隠蔽する方向である矢印ａ方向に移動させると、シャッター板６と共にトグルばね１３の一端部１３ａを係止している止めピン１４が移動し、この止めピン１４が作用点Ｏを越えるとトグルばね１３のばね力が反転しシャッター板６はディスク挿入口２を隠蔽する方向に付勢させることができる。
【００１８】
すなわち、シャッター板６は作用点Ｏを境にしてトグルばね１３のばね作用によりディスク挿入口２を隠蔽する方向と、液晶表示部３を隠蔽する方向とにスナップ作用を効かせて移動できるようになっている。また、シャッター板６の移動は、シャッター板のどの部分を触って行なっても、ラック７，７に噛み合ったピニオン８，８と軸１０により、捩れたりすることなく大変スムーズに行なうことができる。
【００１９】
なお、シャッター板６にはラック７，７の下方側に一体にリブ１６，１６が形成され、一方のリブ１６側（図３において右側のリブ１６）に液晶表示部３の点灯を消灯するスイッチ操作片１７が形成されている。符号１８がこのスイッチ操作片１７により消灯操作されるスイッチである。
【００２０】
上述のように構成したカーオーディオ機器は、ディスクを再生するときは、図１に示すようにディスク挿入口２が露出されるようにシャッター板６を液晶表示部６側に移動し、ディスク挿入口２にディスクを挿入することで、オーディオ機器内にディスクが引き込まれる。この後、図２に示すようにディスク挿入口２をシャッター板６で閉じることでディスクの再生が開始される。そして、液晶表示部３には再生中のディスクの曲目やトラックナンバー等の情報が液晶表示される。
【００２１】
つまり、ディスクの再生中ではディスク挿入口３はシャッター板６で隠蔽されて閉じている状態となり、あるいは、ディスクの未再生のときでも、ディスク挿入口３をシャッター板６で隠蔽して閉じておくことにより、ディスク挿入口３内への異物の挿入や塵埃等の侵入を防止することができ、カーオーディオ機器内部が好ましい状態となる。また、ディスク挿入口３が隠蔽されることでカーオーディオ機器の外観の体裁も向上できる。
【００２２】
一方、ディスクの再生中では液晶表示部３に曲目やトラックナンバー等の情報が液晶表示されるが、この液晶表示の明るさは夜間運転中のドライバーにとって眩しく感じられ、運転に支障をきたす。このような夜間の運転中にはシャッター板６を液晶表示部３側に移動して隠すことにより、液晶表示部３の眩しさを回避し運転中の煩わしさから解放することができる。
【００２３】
また、本発明の実施の形態では、シャッター板６を液晶表示部３側に移動することで、シャッター板６の一部に設けたスイッチ操作片１７によりスイッチ１８をスイッチング操作することで液晶表示部３の点灯を消灯することができ、シャッター板６の隙間から漏れる光もなく運転中の煩わしさを全く無くすことができる。この場合、液晶表示部３が消灯された状態でもディスクの再生を中断することなく継続することができる。この時のディスクの再生操作は操作ボタン群４や操作スイッチ５により行うことができる。
【００２４】
また、シャッター板６はフロントパネル１の表面に沿ってディスク挿入口２側と液晶表示部３側を移動する。このため、シャッター板６が液晶表示部３側のフロントパネル１の表面を擦って傷を付けないようにするため、図２に示すように液晶表示部３の左右の縁やその外周縁に幅の狭いリブ状突起２０をシャッター板６の移動方向に形成することによって、シャッター板６の裏面がリブ状突起２０の上を接触して移動するようになるので、フロントパネル１の表面の体裁を保つことができる。
【００２５】
また、ディスク挿入口３側のフロントパネル１の表面に傷を付けない工夫として、ディスク挿入口２と液晶表示部３との中間に横方向に横断するリブ状突起２１（図５及び図６参照）を形成することで、シャッター板６がディスク挿入口２を閉じる動作のとき、該シャッター板６の裏面がリブ状突起２１に接触して移動するようになり、この場合もフロントパネル１の表面の体裁を保つことができる。また、シャッター板６がディスク挿入口２を閉じたときに、該シャッター板６の上辺の裏面がリブ状突起２２に乗り上げた状態となり、フロントパネル１の表面の体裁を保つことができるといった作用もある。
【００２６】
また、ここでは図示しないがディスク挿入口３側の左右の側端部にシャッター板６の移動方向にリブ状突起を形成することによって、シャッター板６の裏面がリブ状突起の上を接触して移動するようになり、フロントパネル１の表面の体裁を保つことができる。
【００２７】
本発明は、上述しかつ図面に示した実施の形態に限定されるものでなく、その要旨を逸脱しない範囲内で種々の変形実施が可能である。
【００２８】
本発明による再生装置は、実施の形態ではディスク挿入口２の下方に液晶表示部３を配置した例について説明したが、逆にディスク挿入口２の上方に液晶表示部３が配置されたような場合であってもよい。
【００２９】
また、本発明の実施の形態では、再生媒体がＣＤやＤＶＤあるいはＭＤの場合について説明したが、勿論、カセットテープ等の挿入口を有する再生媒体にも広く適用可能である。
【図面の簡単な説明】
【００３０】
【図１】本発明における再生装置の実施の形態であるカーオーディオ機器で、ディスク挿入口が露出し液晶表示部が隠蔽された状態の外観斜視図である。
【図２】同じくディスク挿入口が隠蔽され液晶表示部が見える状態の外観斜視図である。
【図３】シャッター移動機構をフロントパネルの裏面側から見た外観斜視図である。
【図４】同じくシャッター移動機構をフロントパネルの裏面側から正面図である。
【図５】ディスク挿入口を露出させた状態のシャッター移動機構の側面図である。
【図６】ディスク挿入口をシャッター板で閉止した状態のシャッター移動機構の側面図である。
【符号の説明】
【００３１】
１…フロントパネル、２…ディスク挿入口、３…液晶表示部、４…操作スイッチ群、６…シャッター板、７…ラック、８…ピニオン、１０…軸、１３…トグルばね、１４…止めピン、１７…スイッチ操作片、１８…スイッチ、２０，２１，２２…リブ状突起
【図１】
2005166101.tif 000003
【図２】
2005166101.tif 000004
【図３】
2005166101.tif 000005
【図４】
2005166101.tif 000006
【図５】
2005166101.tif 000007
【図６】
2005166101.tif 000008